(57)【要約】【課題】強度及びデザイン性を損なわずに、リム無し眼鏡においてバネ丁番を採用する。【解決手段】両側を後方に延長すると共に拡縮方向の弾性を付与したフロント１と、バネ丁番を介して上記フロントの両側に連結されるテンプル２０、２０からなり、テンプルの丁番側をＵ字部分２２に折り返すと共にその先端に軸受け片２３を設け、上記軸受け片をフロントの両側の外側に設けたバネ丁番本体３０の前方側から進退するスライダー３１の軸受け片３２に軸支することにより、テンプルが一定限度以上に開いた際に復帰方向の付勢力を付与する。【選択図】      図１
2004151226.tif 000002
【特許請求の範囲】
【請求項１】
両側を後方に延長すると共に拡縮方向の弾性を付与したフロント（１）と、バネ丁番を介して上記フロント（１）の両側に連結されるテンプル（２０）からなり、テンプル（２０）の丁番側をＵ字部分（２２）に折り返すと共にその先端に軸受け片（２３）を設け、上記軸受け片（２３）をフロント（１）の両側の外側に設けたバネ丁番本体（３０）の前方側から進退するスライダー（３１）の軸受け片（３２）に軸支することにより、テンプル（２０）が一定限度以上に開いた際に復帰方向の付勢力を付与することを特徴とする眼鏡。
【請求項２】
フロント（１）の後方に延長した部分（２Ｂ）を薄板状とすると共に、バネ丁番本体（３０）の取り付け箇所のスライダー側に貫通窓（３）を設け、フロント（１）の内側に位置するテンプル（２０）のＵ字部分（２２）を上記貫通窓（３）からフロント（１）の外側に露出させる請求項１記載の眼鏡。
【請求項３】
テンプル（２０）のＵ字部分（２２）の内周箇所の一部（２４）をフロント（１）の貫通窓（３）の後端（３Ａ）に当接させることにより、テンプル（２０）が一定限度以上に開く際にこの当接箇所を支点としたＵ字部分（２２）の揺動を行わせ、揺動により引き上げられるバネ丁番本体（３０）のスライダー（３１）の付勢力によりテンプル（２０）を復帰方向へ付勢する請求項２記載の眼鏡。
【請求項４】
テンプル（２０）側の軸受け（２３）に、フロント（１）に設けたバネ丁番本体（３０）の前端に当接するカム（２３Ａ）を設け、テンプル（２０）のフロント内側への折り畳み方向への回動の中途においてスライダー（３１）を最大限に引き上げるカム運動を生じさせることにより、テンプル（２０）に装着位置及び折り畳み位置へのスナップアクションを付与する請求項１から３の何れかに記載の眼鏡。
【請求項５】
レンズ（２Ａ）とフロント（１）をプラスチック板で一体に成形した請求項１から４の何れかに記載の眼鏡。
【請求項６】
フロント（１）のレンズ部分（２Ａ）と後方に延長した部分を別部材で構成した請求項１から４の何れかに記載の眼鏡。
【発明の詳細な説明】
【０００１】
【発明の属する技術分野】
この発明は眼鏡に関し、特にフロントとレンズを一体化したリム無し眼鏡にバネ丁番を設けた眼鏡に関する。
【０００２】
【従来の技術】
バネによる付勢により、軸受け片同士の一定範囲の回動に対し復元力を与えるバネ丁番が広く眼鏡に使用されている（公知例としては例えば特開２００２−２８７０９９）。
【０００３】
従来、この種のバネ丁番の使い方としては、バネ丁番の本体をテンプル又はフロントのリムの内側にロー付け又は溶接し、テンプルが一定以上開こうとした場合に付勢による外側から内側への復元力を与えることにより、眼鏡のずり落ちを防止することが一般的であった。
【０００４】
【発明が解決しようとする課題】
ところで、ブリッジ部材を一対のレンズの内方に穿設した貫通孔にビス止めすることにより、レンズ同士を結合してフロント（「フロント」の用語に関しては、狭義ではレンズを保持した前方のリム部分を指す用法もあるが、本願明細書では光学部分を含む眼鏡前方の部材と定義する。）を構成すると共に、テンプル連結部材を各レンズの外方に穿設した貫通孔にビス止めすることによりテンプルが結合されるリム無しメガネが従来公知であり、ツーポイントあるいはスリーピースとも呼ばれている。このリム無しメガネにおいてもずり落ちの問題は当然生じるので、その限りにおいてはバネ丁番を採用することは有用である。
【０００５】
しかしながら、レンズ端面をむらなく保持するリムと異なり、リム無しメガネにおいてはレンズとテンプル連結部材との結合箇所はレンズに穿設された貫通孔のみであり、しかも構造上この貫通孔はレンズの縁近くに設けられるので、バネ丁番の付勢力に抗しようとする力がテンプルに加わった場合に、それがそのままレンズのテンプル連結部との結合部に加わってレンズにヒビが入ったり、割れたりするおそれがあった。一方、リム無し眼鏡の利点はリムが無いことによる視界の広さと、外観上のシンプルさに求められるが、機構的に決して小さな部材とは言い難いバネ丁番が付加されることによりこの利点が損なわれる問題があった。
【０００６】
【課題を解決するための手段】
この発明は以上の従来技術の問題点を解消すると共に、今までにない新たな機能を有する眼鏡を提供することを目的としたものであり、両側を後方に延長すると共に拡縮方向の弾性を付与したフロントと、バネ丁番を介して上記フロントの両側に連結されるテンプルからなり、テンプルの丁番側をＵ字部分に折り返すと共にその先端に軸受け片を設け、上記軸受け片をフロントの両側の外側に設けたバネ丁番本体の前方側から進退するスライダーの軸受け片に軸支することにより、テンプルが一定限度以上に開いた際に復帰方向の付勢力を付与することを特徴とする。
【０００７】
【発明の実施の形態】
以下、この発明の具体的実施例を添付図面に基づいて説明する。図１乃至図６はこの発明の実施例の眼鏡の全体を示す図であり、ここでは眼鏡としてサングラスを想定している。図中符号１はフロントであり、この実施例においてはビス止めしたブリッジ１０により連結される左右一対のフロント片２、２からなる。この実施例においては、フロント片２は弾性を持って厚み方向に撓み可能な薄板状のプラスチック板によりレンズ２Ａと一体に成形されるものであり、一側が後方に向けて緩い湾曲をもって延長した延長部２Ｂとされる。ここでは、上記延長部２Ｂは装着時に着用者の耳の前方付近に達する程度に延長され、結果としてフロント１はＵ字形状を成すことになる。フロント片２、２同士を結合するブリッジ１０は弾性に富んだ金属により構成されるものであり、このブリッジの弾性と前記したフロント片自体の弾性が相まって、フロント１には拡縮方向の弾性が付与される。尚、図中符号１１、１１はブリッジ１０に設けられる鼻当てパッド足である。
【０００８】
フロント１の延長部２Ｂ、２Ｂの外側にはバネ丁番本体３０、３０がビス止めされる。ここでは、バネ丁番本体３０は、本体に対し進退するスライダー３１を、内装したコイルバネ３３により後退方向に付勢する公知の構成よりなるものであり、スライダーの先端には軸受け片３２が設けられる（図７及び図８参照）。従来技術においては、バネ丁番本体がフロント側に取り付けられる場合は、スライダーの先端の軸受け片を後方に向けてフロントの内側に配されるが、この発明においてはバネ丁番本体３０は前記したようにフロントの延長部２Ｂの外側に配され、しかもスライダー３１の先端の軸受け片３２は前方に向けられるという独特の構成を採用している。
【０００９】
一方、前記の独特の構成に対応するために、図９乃至図１２に示すようにテンプル２０は丁番側がＵ字状に折り返され、このＵ字部分２２の先端にフロント側の軸受け片３２と軸支される軸受け片２３が設けられる。この場合、フロントの延長部２Ｂのバネ丁番本体３０の取り付け箇所のスライダー側には貫通窓３が設けられ、上記のテンプル２０のＵ字部分２３はこの貫通窓からフロントの外側に露出することとなる。尚、図中符号２１はテンプル２０の耳掛け部に鞘状に外嵌されるプラスチック製のモダンである。
【００１０】
以上のテンプル２０、２０は、図１及び図２に示すようにバネ丁番の軸受け片３２に軸支される軸受け片２３を中心に回動することにより、フロント１に対し開閉し、閉止時にはフロントの内側にコンパクトに折り畳まれる（図２参照）。この場合、この実施例においてはバネ丁番により、（１）  装着時のテンプルの一定限度以上の開放に対する付勢力による復帰、（２）  装着状態と折り畳み状態との間の回動におけるスナップアクションの付与の２種の作用を実現している。これらの作用を実現する機構はそれぞれ異なるのでこれらの詳細について下記する。
【００１１】
図９乃至図１０は前記の（１）  の機構を示す図である。この機構はテンプル２０のＵ字部分２２の内周箇所の一部２４をフロント２の貫通窓３の後端３Ａに当接させることにより実現される。即ち、テンプル２０が一定限度以上に開く際にこの当接箇所を支点としたＵ字部分２２の揺動を行わせ（図９から図１０に至る状態）、揺動により引き上げられるバネ丁番本体３０のスライダー３１の付勢力によりテンプルを復帰方向へ付勢する。
【００１２】
図１１乃至図１２は前記の（２）  の機構を示す図である。この機構はテンプル側の軸受け２３に、フロント２に設けたバネ丁番本体３０の前端に当接するカム２３Ａを形成することにより実現される。即ち、テンプル２０のフロント内側への折り畳み方向への回動の中途においてスライダー３１を最大限に引き上げるカム運動を生じさせることにより、テンプルに装着位置及び折り畳み位置へのスナップアクションを付与する。
【００１３】
尚、以上の実施例においては、バネ丁番本体３０が取り付けられる延長部２Ｂとレンズ２Ａと一体に成形されてフロント片２を構成しているが、延長部はレンズと別部材にしてもよいことは勿論である。
【００１４】
【発明の効果】
以上の構成よりなるこの発明の眼鏡は次の特有の効果を奏する。
（１）  従来、バネ丁番は、テンブル又は枠にロー付けまたは溶接したが、この発明においてはレンズにつける事でレンズの視界をより広くすることが可能となり、又、装着時に外側からテンブル等が見えない様に隠れるので変化のあるデザインが可能になる。
（２）  上記の場合、フロントと一体となったレンズの弾力性とバネ丁番の弾力性を融合する事で、レンズに余分な力がかからないため、レンズにバネ丁番が連結されるにもかかわらず、レンズのヒビや割れ等を防ぐ事が出来る。
（３）  眼鏡をしまうとき、先端をＵ字状に折り返したテンプルと、装着位置及び折り畳み位置へのスナップアクションを付与するバネ丁番を組み合わせることで簡単にテンブル部分を内側に曲げてコンパクトにしてしまう事ができる。また掛ける時は、簡単に元に戻し、装着出来る。
【図面の簡単な説明】
【図１】この発明の眼鏡の平面図。
【図２】同上、テンプルを折り畳んだ状態の平面図。
【図３】この発明の眼鏡の側面図。
【図４】同上、正面図。
【図５】同上、背面図。
【図６】同上、テンプルを折り畳んだ状態の背面図。
【図７】バネ丁番本体の断面図。
【図８】バネ丁番本体の斜視図。
【図９】テンプルの装着位置におけるバネ丁番部分の一部切り欠き平面図。
【図１０】テンプルを装着位置より開いた位置におけるバネ丁番部分の一部切り欠き平面図。
【図１１】テンプルの装着位置と折り畳み位置の中間位置におけるバネ丁番部分の一部切り欠き平面図。
【図１２】テンプルの折り畳み位置におけるバネ丁番部分の一部切り欠き平面図。
【符号の説明】
１      フロント
２Ｂ    延長部
２０    テンプル
２２    Ｕ字部分
２３    軸受け片
３０    バネ丁番本体
３１    スライダー
３２    軸受け片
【図１】
2004151226.tif 000003
【図２】
2004151226.tif 000004
【図３】
2004151226.tif 000005
【図４】
2004151226.tif 000006
【図５】
2004151226.tif 000007
【図６】
2004151226.tif 000008
【図７】
2004151226.tif 000009
【図８】
2004151226.tif 000010
【図９】
2004151226.tif 000011
【図１０】
2004151226.tif 000012
【図１１】
2004151226.tif 000013
【図１２】
2004151226.tif 000014